(57)【要約】  【課題】電子スチルカメラの記録バッファ内のデータを確実に記録媒体へ記録させる。  【解決手段】カメラコントローラ２６は、設定されている記録モード、記録メディア３０の種類、およびバッファメモリ２１のバッファサイズに応じてバッファメモリ２１内のデータを全て記録メディア３０へ転送・記録するために必要な電力情報を算出する。カメラコントローラ２６はさらに、電池コントローラ４１から電池パック４０の残容量を受信し、（残容量）≧（電力情報）が成立する場合に撮影可を決定し、（残容量）＜（電力情報）が成立する場合には撮影不可を決定する。すなわち、バッファメモリ２１内に格納されている画像データを記録メディア３０へ転送・記憶するために必要な電池残量がある場合にのみ新たな撮影を行う。  【選択図】図１
2005039699.tif 000002
【特許請求の範囲】
【請求項１】
二次電池、および前記二次電池に流れる電流値に基づいて当該電池の残容量もしくは放電量を演算する演算手段を備える電池モジュールと、
撮影した画像データを記憶する記憶手段、前記記憶手段に記憶された画像データを記録媒体に転送および記録する転送記録手段、前記転送記録手段が転送および記録処理を行う間に必要な電力を算出する電力情報算出手段、および前記電池モジュールから出力された演算結果が示す電池の残容量が前記電力情報算出手段で算出された電力値より大もしくは等しいとき、新たな撮影開始を許可し、前記電池の残容量が前記算出された電力値より小のとき、新たな撮影開始を禁止する制御手段を備える電子スチルカメラとを有することを特徴とする電子スチルカメラシステム。
【請求項２】
請求項１に記載の電子スチルカメラシステムにおいて、
前記電子スチルカメラは、設定操作に応じて前記記録媒体に記録する画像データのデータサイズおよび圧縮処理の有無の少なくとも一方を設定するデータサイズ設定手段をさらに備え、
前記電力情報算出手段は、前記データサイズ設定手段によって設定されている画像のデータサイズ、圧縮処理の有無、および前記記憶手段の記憶容量に応じて前記必要な電力を算出することを特徴とする電子スチルカメラシステム。
【請求項３】
請求項１または２に記載の電子スチルカメラシステムにおいて、
前記電池モジュールは、前記二次電池の温度を検出する温度検出手段をさらに備え、
前記演算手段は、前記温度検出手段による検出温度に応じて演算値を補正することを特徴とする電子スチルカメラシステム。
【請求項４】
二次電池、および前記二次電池に流れる電流値に基づいて当該電池の残容量もしくは放電量を演算する演算手段を備える電池モジュールと、
撮影した画像データを記憶する記憶手段、前記記憶手段に記憶された画像データを記録媒体に転送および記録する転送記録手段、および前記電池モジュールから出力された演算結果が示す電池の残容量が前記転送記録手段による１コマ分の画像データの転送および記録処理を行う間に必要な電力値より大もしくは等しいとき、新たな撮影開始を許可し、前記電池の残容量が前記必要な電力値より小のとき、新たな撮影開始を禁止する制御手段を備える電子スチルカメラとを有することを特徴とする電子スチルカメラシステム。
【発明の詳細な説明】
【技術分野】
【０００１】
本発明は、電池駆動する電子スチルカメラに関する。
【背景技術】
【０００２】
撮影した画像のデータを記憶バッファに一旦格納した上で、記憶バッファ内のデータをメモリカードなどの記録媒体に転送して記録する電子スチルカメラが知られている。このようなカメラでは、記憶バッファ内の画像データを記録媒体に記録している期間中に電池の残容量が所定レベルを下回ると、記憶バッファ内の画像データが記録媒体に記録されないばかりか、記憶バッファ内のデータも失われてしまう。そこで特許文献１には、記憶バッファ内のデータを保持するようにバックアップ給電を行う電子カメラが開示されている。
【０００３】
【特許文献１】特開平１１−３５５７００号公報
【発明の開示】
【発明が解決しようとする課題】
【０００４】
特許文献１の構成では、記録バッファ内のデータを保持するために、主電源とバックアップ電源との２系統の電源が必要となってしまう。
【課題を解決するための手段】
【０００５】
請求項１に記載の発明による電子スチルカメラシステムは、二次電池、および二次電池に流れる電流値に基づいて当該電池の残容量もしくは放電量を演算する演算手段を備える電池モジュールと、撮影した画像データを記憶する記憶手段、記憶手段に記憶された画像データを記録媒体に転送および記録する転送記録手段、転送記録手段が転送および記録処理を行う間に必要な電力を算出する電力情報算出手段、および電池モジュールから出力された演算結果が示す電池の残容量が電力情報算出手段で算出された電力値より大もしくは等しいとき、新たな撮影開始を許可し、電池の残容量が算出された電力値より小のとき、新たな撮影開始を禁止する制御手段を備える電子スチルカメラとを有することを特徴とする。
上記電子スチルカメラは、設定操作に応じて記録媒体に記録する画像データのデータサイズおよび圧縮処理の有無の少なくとも一方を設定するデータサイズ設定手段をさらに備えてもよく、この場合の電力情報算出手段は、データサイズ設定手段によって設定されている画像のデータサイズ、圧縮処理の有無、および記憶手段の記憶容量に応じて必要な電力を算出することもできる。
上記電池モジュールは、二次電池の温度を検出する温度検出手段をさらに備えてもよく、この場合の演算手段は、温度検出手段による検出温度に応じて演算値を補正することもできる。
請求項４に記載の本発明による電子スチルカメラシステムは、二次電池、および二次電池に流れる電流値に基づいて当該電池の残容量もしくは放電量を演算する演算手段を備える電池モジュールと、撮影した画像データを記憶する記憶手段、記憶手段に記憶された画像データを記録媒体に転送および記録する転送記録手段、および電池モジュールから出力された演算結果が示す電池の残容量が転送記録手段による１コマ分の画像データの転送および記録処理を行う間に必要な電力値より大もしくは等しいとき、新たな撮影開始を許可し、電池の残容量が必要な電力値より小のとき、新たな撮影開始を禁止する制御手段を備える電子スチルカメラとを有することを特徴とする。
【発明の効果】
【０００６】
本発明による電子スチルカメラシステムでは、電源系統を増やすことなく、記憶手段（バッファ）内のデータを確実に記録媒体へ転送および記録することができる。
【発明を実施するための最良の形態】
【０００７】
以下、図面を参照して本発明を実施するための最良の形態について説明する。
図１は、本発明の第一の実施形態による電子スチルカメラ１０の構成を説明するブロック図である。図１において、カメラコントローラ２６は、マイクロコンピュータなどによって構成される。カメラコントローラ２６は、後述する各ブロックから出力される信号を入力して所定の演算を行い、演算結果に基づいて制御信号を各ブロックへ出力する。コントローラ２０は、カメラコントローラ２６からの指令に基づいて撮像系の各ブロックに対する制御信号を出力する。
【０００８】
撮像素子１４は、ＣＣＤイメージセンサなどによって構成される。撮像素子１４は、撮影レンズ１１、絞り１２およびシャッター１３を通過した被写体光による像を撮像し、撮像信号をＣＤＳ・Ａ／Ｄ変換回路１５へ出力する。
【０００９】
ＣＤＳ・Ａ／Ｄ変換回路１５は、相関二重サンプリング（ＣＤＳ）によって撮像信号のノイズを除去し、アナログ撮像信号をディジタル信号に変換する。撮像素子１４とＣＤＳ・Ａ／Ｄ変換回路１５は、それぞれタイミングジェネレータ１９から出力される駆動信号によって所定の動作タイミングで駆動される。タイミングジェネレータ１９は、コントローラ２０からの指令によって駆動信号の出力開始および出力停止を行う。
【００１０】
画像処理部１６は、コントローラ２０からの指令により、ディジタル変換後の信号に所定の画像処理を行う。画像処理は、ホワイトバランス（ＷＢ）調整処理、画像データを所定の形式（たとえば、ＪＰＥＧ）で圧縮する圧縮処理、圧縮処理後のデータを伸長する伸長処理を含む。表示制御回路１７は、画像データによる再生画像を画像表示ＬＣＤ１８に表示させるために必要な処理を行う。画像表示ＬＣＤ１８は、表示制御回路１７から出力される表示制御信号に基づいて再生画像を表示する。
【００１１】
バッファメモリ２１は、画像処理部１６によって信号処理された画像データを逐次入力し、当該データを一時的に格納する。記録メディア３０は、着脱可能なフラッシュメモリなどによって構成され、バッファメモリ２１に一時格納されている画像データを記録する。
【００１２】
バッファメモリ２１は、電源が供給されなくなると記録内容が失われる反面、記録メディア３０に比べて書き込み時間が短い。一方、記録メディア３０は、電源が供給されない場合でも記録内容が保持される反面、バッファメモリ２１に比べて書き込み時間が長い。したがってコントローラ２０は、撮影シーケンス開始後に得られる画像データをバッファメモリ２１に高速で書き込みながら、バッファメモリ２１内の格納データを記録メディア３０の書き込み速度に応じて記録メディア３０へ転送し、記録する。これにより、前に撮影したコマの画像データを記録メディア３０へ記録終了していなくても、レリーズ操作が行われるとただちに撮影を行うようにしている。バッファメモリ２１および記録メディア３０のアクセスタイミングは、それぞれコントローラ２０によって制御される。
【００１３】
操作入力部材２７は、不図示のレリーズボタンなどの各種操作部材によって構成され、操作に応じた操作信号をカメラコントローラ２６へ出力する。表示出力部２８は、カメラコントローラ２６からの指令により、シャッタ速度や絞り値、露出情報など表示する。
【００１４】
モータドライバ２２は、カメラコントローラ２６からの指令によってＡＦモータ２３を駆動制御する。ＡＦモータ２３は、撮影レンズ１１を構成するフォーカスレンズ（不図示）を光軸方向に進退駆動する。絞り制御アクチュエータ２４は、カメラコントローラ２６からの指令により、所定の絞り値が得られるように絞り１２を駆動する。シャッタ制御マグネット２５は、カメラコントローラ２６からの指令により、シャッタ１３の不図示の先幕および後幕の保持および解除をそれぞれ制御する。
【００１５】
ＤＣ／ＤＣコンバータ２９は、後述する電池パック４０から供給される電池電圧をカメラ１０内の各ブロックで必要な電圧に変換する。
【００１６】
電池パック４０は、充電可能な二次電池セル４４、電池コントローラ４１、メモリ４２、容量演算素子４３、抵抗器４５、および温度検出素子４６を含む。電池パック４０がカメラ１０に装着されると、二次電池セル４４による電圧がカメラ１０のダイオード３２を介してＤＣ／ＤＣコンバータ２９に印加される。この状態で電子カメラ１０のメインスイッチがオンされると、電池コントローラ４１がカメラコントローラ２６との間で通信を行うように構成されている。カメラコントローラ２６が電池コントローラ４１へ電池情報を要求する信号を送信すると、電池コントローラ４１はカメラコントローラ２６へ電池情報を送信する。電池情報は、二次電池セル４４の残容量を示す情報であり、メモリ４２に記憶されている。
【００１７】
容量演算素子４３は、抵抗器４５の両端に発生する電圧値を検出し、検出電圧を抵抗器４５の抵抗値で除算することによって二次電池セル４４に流れる電流（この場合は放電電流）を得る。容量演算素子４３は、電流値を時間積分することによって二次電池セル４４の使用済み容量（消費量情報）を算出し、算出結果を電池コントローラ４１へ送信する。使用容量の単位は、たとえば、ｍＡＨである。電池コントローラ４１は、あらかじめメモリ４２に記憶されている二次電池セル４４の総容量から使用済み容量を減算することにより、残容量を算出する（残容量＝総容量−使用済み容量）。残容量の情報はメモリ４２に記憶され、新たな残容量が算出される所定間隔ごとに更新される。
【００１８】
二次電池セル４４の総容量は、二次電池セル４４の充電時にメモリ４２に記憶される。電池パック４０は、不図示のチャージャーに装着されて充電される。容量演算素子４３は、抵抗器４５の両端に発生する電圧値を検出し、検出電圧を抵抗器４５の抵抗値で除算することによって二次電池セル４４に流れる電流（この場合は充電電流）を得る。容量演算素子４３は、電流値を時間積分することによって二次電池セル４４の充電容量を算出し、算出結果を電池コントローラ４１へ送信する。充電容量の単位は、上述したｍＡＨである。電池コントローラ４１は、充電終了時の充電容量をメモリ４２に記憶し、この値を二次電池セル４４の総容量とする（総容量＝充電前の残容量＋充電容量）。
【００１９】
温度検出素子４６は、二次電池セル４４の温度の温度を検出し、検出信号を電池コントローラ４１へ送出する。
【００２０】
本発明は、上述した電子カメラ１０において、バッファメモリ２１内の画像データを記録メディア３０へ転送・記録するために必要な電池容量を演算し、電池パック４０の残容量が演算した電池容量に満たない場合は新たな撮影を禁止するものである。
【００２１】
図２は、カメラコントローラ２６で行われる撮影可否決定処理の流れを説明するフローチャートである。カメラコントローラ２６は、カメラ１０のメインスイッチ（不図示）がオンされると図２による処理を所定時間ごとに繰り返し行い、撮影可否のいずれかを決定する。図２による処理で撮影可が決定されているとき、カメラコントローラ２６は、操作入力部材２７から入力されるレリーズ操作信号に応じて撮影シーケンスを開始させる。一方、カメラコントローラ２６は、図２による処理で撮影不可が決定されているとき、新たな撮影シーケンスを禁止する。これにより、操作入力部材２７からレリーズ操作信号が入力されても、カメラ１０は撮影を行わない。
【００２２】
図２のステップＳ１１において、カメラコントローラ２６は、バッファメモリ２１内に記憶可能なコマ数Ｘを次式（１）を用いて算出し、ステップＳ１２へ進む。
Ｘ＝（バッファサイズ）／（１コマ当たりのファイルサイズ）        （１）
ただし、バッファサイズはバッファメモリ２１の記憶容量であり、あらかじめカメラコントローラ２６内のＲＯＭ領域（不図示）に記憶されている。１コマ当たりのファイルサイズは、記録モードに応じて異なるサイズがあらかじめカメラコントローラ２６内のＲＯＭ領域（不図示）に記憶されている。カメラコントローラ２６は、カメラ１０に設定されている記録モードに対応するファイルサイズを読み出して上式（１）に代入する。
【００２３】
記録モードは、たとえば、以下のようなモードが用意されている。
１．画像データに画像処理を施さずに記録する「ＲＡＷ」
２．画像処理後の画像データを非圧縮で記録する「ＴＩＦＦ」
３．画像処理後の画像データを圧縮率約１／４で記録する「ＦＩＮＥ」
４．画像処理後の画像データを圧縮率約１／８で記録する「ＮＯＲＭＡＬ」
５．画像処理後の画像データを圧縮率約１／１６で記録する「ＢＡＳＩＣ」
ファイルサイズは、「ＲＡＷ」＞「ＴＩＦＦ」＞「ＦＩＮＥ」＞「ＮＯＲＭＡＬ」＞「ＢＡＳＩＣ」の関係を有する。
【００２４】
図２のステップＳ１２において、カメラコントローラ２６は、１コマ当たりの書き込みに要する電力情報ｐを次式（２）を用いてを算出し、ステップＳ１３へ進む。
ｐ＝ａ×ｔ              （２）
ただし、ａは記録メディア３０に対する書き込み時にカメラ１０全体で消費される電流（電池パック４０から供給される電流）であり、ｔは記録メディア３０に対する１コマ当たりの書き込み時間である。
【００２５】
消費電流ａは、記録メディア３０がメモリおよびデータストレージ装置のいずれによって構成されているかによって異なる。カメラコントローラ２６は、装着されている記録メディア３０の種類に応じた電流値をカメラコントローラ２６内のＲＯＭ領域（不図示）から読み出す。電流値は、あらかじめカメラコントローラ２６内のＲＯＭ領域（不図示）に記憶されている。書き込み時間ｔは、記録モード（すなわち、ファイルサイズ）に応じて異なる時間があらかじめカメラコントローラ２６内のＲＯＭ領域（不図示）に記憶されている。カメラコントローラ２６は、カメラ１０に設定されている記録モードに対応する時間ｔを読み出して上式（２）に代入する。
【００２６】
ステップＳ１３において、カメラコントローラ２６は、Ｘコマ分の電力情報Ｐを次式（３）を用いて算出し、ステップＳ１４へ進む。
Ｐ＝Ｘ×ｐ              （３）
たとえば、Ｘ＝３０コマ、消費電流ａ＝５００ｍＡ、書き込み時間ｔ＝２ｓｅｃの場合、電力情報Ｐ＝３００００ｍＡｓｅｃ＝約８．３ｍＡＨである。これは、電池パック４０の残容量が少なくとも８．３ｍＡＨ以上あれば、バッファメモリ２１内に格納されている画像データを全て確実に記録メディア３０へ記憶できることを示す。
【００２７】
ステップＳ１４において、カメラコントローラ２６は、電池コントローラ４１に電池情報を要求してステップＳ１５へ進む。ステップＳ１５において、カメラコントローラ２６は、電池コントローラ４１から電池情報（残容量）を受信してステップＳ１６へ進む。ステップＳ１６において、カメラコントローラ２６は、（残容量）≧（電力情報Ｐ）が成立するか否かを判定する。カメラコントローラ２６は、（残容量）≧（電力情報Ｐ）が成立する場合にステップＳ１６を肯定判定してステップＳ１７へ進み、（残容量）＜（電力情報Ｐ）が成立する場合にはステップＳ１６を否定判定し、ステップＳ１８へ進む。
【００２８】
ステップＳ１７において、カメラコントローラ２６は、撮影可を決定して図２による処理を終了する。ステップＳ１８において、カメラコントローラ２６は、撮影不可を決定して図２による処理を終了する。
【００２９】
一般に、電池は低温時に放電能力が低下することが知られている。すなわち、常温時の総容量に比べて低温時の総容量が少なくなる。そこで、電池コントローラ４１は、温度検出素子４６からの検出信号を用いて総容量を補正する温度補償を行う。図３は、温度補償係数を示す図である。図３において、横軸は検出温度を表し、縦軸は温度補償係数を表す。図３において、０℃以上の係数を１とすると、−１０℃における係数は０．９であり、−２０℃における係数は０．６５である。図３のような検出温度と温度補償係数との関係は、あらかじめテーブルもしくは関数として電池コントローラ４１内のＲＯＭ領域（不図示）に記憶されている。電池コントローラ４１は、検出温度に対応する温度補償係数を読み出し、総容量に掛け合わせて補正する。これにより、低温時の実質的な残容量を得ることができる。なお、温度補償係数を残容量に掛け合わせてもよいし、使用済み容量を温度補償係数で除算してもよい。
【００３０】
以上説明した第一の実施形態によれば、次の作用効果が得られる。
（１）カメラコントローラ２６は、設定されている記録モード（すなわち、１コマ当たりのファイルサイズ）、記録メディア３０の種類（すなわち、書き込みに要する電流値）、およびバッファメモリ２１のバッファサイズに応じてバッファメモリ２１内のデータを全て記録メディア３０へ転送・記録するために必要な電力情報Ｐを算出する。カメラコントローラ２６はさらに、電池コントローラ４１から電池情報（電池パック４０の残容量）を受信し、（残容量）≧（電力情報Ｐ）が成立する（ステップＳ１６を肯定判定）場合に撮影可を決定し（ステップＳ１７）、（残容量）＜（電力情報Ｐ）が成立する（ステップＳ１６を否定判定）場合には撮影不可を決定する（ステップＳ１８）。したがって、バッファメモリ２１内に格納されている画像データを記録メディア３０へ転送・記憶するために必要な電池残量がある場合にのみ新たな撮影を行うので、従来技術のような電源系統を追加することなく、電池の容量低下に起因するバッファメモリ２１内のデータ消失を防止できるとともに、電池の残容量が不足する前に記録メディア３０へ記録を確実に終了することができる。
【００３１】
（２）温度検出素子４６を用いて電池温度を検出し、温度に起因する電池の能力低下を補償するようにしたので、低温時において実質的に残容量が低下しても、バッファメモリ２１内に格納されている画像データを全て確実に記録メディア３０へ記憶できる。
【００３２】
上述した説明では、電池コントローラ４１が電池情報として実際の残容量を示す情報をカメラコントローラ２６へ送信するようにした。この代わりに、実際の残容量から電力情報Ｐを差し引いた値をカメラコントローラ２６へ送信するようにしてもよい。この場合のカメラコントローラ２６は、ステップＳ１４において、電池コントローラ４１に対する電池情報要求時に電力情報Ｐを送信する。これに対応して電池コントローラ４１は、（残容量）−（電力情報Ｐ）を算出し、算出結果を電池情報としてカメラコントローラ２６へ送信する。電池情報を受信したカメラコントローラ２６は、ステップＳ１６において、（電池情報）≧０が成立する場合にステップＳ１６を肯定判定してステップＳ１７へ進み、（電池情報）＜０が成立する場合にはステップＳ１６を否定判定し、ステップＳ１８へ進む。
【００３３】
電力情報Ｐを固定値としてもよい。この場合には、あらかじめ想定されるバッファサイズ、記録モードおよび記録メディア３０の種類の組み合わせのうち、最大値を有する電力情報をＰとする。電力情報Ｐを固定値とすることで、カメラコントローラ２６の演算量が減り、撮影可否決定処理を短時間で行うことができる。
【００３４】
（第二の実施形態）
図４は、本発明の第二の実施形態による撮影可否決定処理の流れを説明するフローチャートである。カメラコントローラ２６は、カメラ１０のメインスイッチ（不図示）がオンされると図４による処理を所定時間ごとに繰り返し行い、撮影可否のいずれかを決定する。図４において、図２と同一の処理には図２と同一のステップ番号を記して説明を省略する。
【００３５】
図４のステップＳ２１において、カメラコントローラ２６は、電池パック４０の残容量によって記録メディア３０へ転送・書き込み可能なコマ数Ｙを、次式（４）を用いて算出してステップＳ２２へ進む。
Ｙ＝（残容量）／ｐ      （４）
ただし、ｐはステップＳ１２で算出する１コマ当たりの書き込みに要する電力情報である。
【００３６】
ステップＳ２２において、カメラコントローラ２６は、Ｙ≧１が成立するか否かを判定する。カメラコントローラ２６は、Ｙ≧１が成立する場合にステップＳ２２を肯定判定してステップＳ１７へ進み、Ｙ＜１が成立する場合にはステップＳ２２を否定判定し、ステップＳ１８へ進む。
【００３７】
ステップＳ１７において、カメラコントローラ２６は、撮影可を決定してステップＳ２３へ進む。ステップＳ１８において、カメラコントローラ２６は、撮影不可を決定して図４による処理を終了する。
【００３８】
ステップＳ２３において、カメラコントローラ２６は、Ｙ≧Ｘが成立するか否かを判定する。Ｘは、バッファメモリ２１内に記憶可能なコマ数である。カメラコントローラ２６は、Ｙ≧Ｘが成立する場合にステップＳ２３を肯定判定し、図４による処理を終了する。この場合は、残容量に余裕があってバッファメモリ２１内のデータを全て記録メディア３０へ転送・記録するために必要な電力が確保されている場合である。
【００３９】
一方、カメラコントローラ２６は、Ｙ＜Ｘが成立する場合にはステップＳ２３を否定判定し、ステップＳ２４へ進む。ステップＳ２４において、カメラコントローラ２６は、本処理のコール間隔を狭くするフラグをセットして図４による処理を終了する。上記フラグがセットされた場合、カメラコントローラ２６は、少なくとも１撮影ごとに撮影シーケンス開始前に図４の撮影可否決定処理を行うようにする。これにより、電池の残容量が少なくなった（ステップＳ２３を肯定判定）場合に１コマ単位で撮影可否を決定できる。なお、フラグ解除は、ステップＳ２３を肯定判定する場合に行われる。
【００４０】
以上説明した第二の実施形態によれば、第一の実施形態と同様に、従来技術のような電源系統を追加することなく、電池の容量低下に起因するバッファメモリ２１内のデータ消失を防止できるとともに、電池の残容量が不足する前に記録メディア３０へ記録を確実に終了することができる。さらに、電池の残容量が少なくなった（ステップＳ２３を肯定判定）場合には１コマ単位で撮影可否を決定できるので、電池パック４０の残容量を最後の１コマ分まで効率よく使用することができる。
【００４１】
電子スチルカメラによる連写撮影時は、バッファメモリ２１内に多くの画像データを蓄積するので、本発明が特に有効である。
【００４２】
特許請求の範囲における各構成要素と、発明を実施するための最良の形態における各構成要素との対応について説明する。二次電池は、たとえば、電池セル４４によって構成される。演算手段は、たとえば、電池コントローラ４１および容量演算素子４３によって構成される。演算結果は、たとえば、電池情報が対応する。電池モジュールは、電池パック４０が対応する。記憶手段は、たとえば、バッファメモリ２１によって構成される。転送記録手段は、たとえば、コントローラ２０によって構成される。電力情報算出手段および制御手段は、たとえば、カメラコントローラ２６によって構成される。電力値は、たとえば、電力情報が対応する。データサイズ設定手段は、たとえば、操作入力部材２７およびカメラコントローラ２６によって構成される。なお、本発明の特徴的な機能を損なわない限り、各構成要素は上記構成に限定されるものではない。
【図面の簡単な説明】
【００４３】
【図１】第一の実施形態による電子スチルカメラの構成を説明するブロック図である。
【図２】カメラコントローラで行われる撮影可否決定処理の流れを説明するフローチャートである。
【図３】温度補償係数を示す図である。
【図４】第二の実施形態による撮影可否決定処理の流れを説明するフローチャートである。
【符号の説明】
【００４４】
１０…電子スチルカメラ
２０…コントローラ
２１…バッファメモリ
２６…カメラコントローラ
２７…操作入力部材
２９…ＤＣ／ＤＣコンバータ
３０…記録メディア
４０…電池パック
４１…電池コントローラ
４２…メモリ
４３…容量演算素子
４４…電池セル
４５…抵抗器
４６…温度検出素子
【図１】
2005039699.tif 000003
【図２】
2005039699.tif 000004
【図３】
2005039699.tif 000005
【図４】
2005039699.tif 000006